(57)【要約】【課題】コネクタの移動強度及び剥離強度の双方を向上させるコネクタ取付端子及びコネクタを提供する。を提供する。【解決手段】コネクタ１の両側壁２３にコネクタ取付端子４，４をそれぞれ備える。各コネクタ取付端子４は、プリント基板７の取付端子用ランド７０に当接させるための表面実装タブ部４０と、取付端子用ランド７０の孔７０ａに差し込むための差込レグ部４１とを有している。孔７０ａに差し込まれた差込レグ部４１の作用によってコネクタ１の移動強度と剥離強度を向上させる。【選択図】　　　　図７
2004047357.tif 000002
【特許請求の範囲】
【請求項１】
コネクタの側部に取り付けられるコネクタ取付端子であって、
コネクタの上記側部より外方に略水平に延出し且つ表面側から裏面側に貫通する一以上の孔を有した表面実装タブ部と、
上記表面実装タブ部の上記裏面側から突出し且つ当該コネクタが実装される基板に設けられた孔に差し込むための差込レグ部と
を具備することを特徴とするコネクタ取付端子。
【請求項２】
請求項１に記載のコネクタ取付端子において、
複数の上記差込レグ部を、コネクタの上記側部に沿うように列設した、
ことを特徴とするコネクタ取付端子。
【請求項３】
複数の電気端子を収納したハウジングと、このハウジングの両側部に取り付けられた一対のコネクタ取付端子とを有し、これらのコネクタ取付端子を介してプリント基板に表面実装されるコネクタであって、
上記コネクタ取付端子は、上記ハウジングの上記側部より外方に略水平に延出し且つ表面側から裏面側に貫通する一以上の孔を有した表面実装タブ部と、上記表面実装タブ部の上記裏面側から突出し且つ当該コネクタが実装される基板に設けられた孔に差し込むための差込レグ部とを具備するものである、
ことを特徴とするコネクタ。
【請求項４】
請求項３に記載のコネクタにおいて、
上記コネクタ取付端子の差込レグ部を、ハウジングの上記側部に沿うように複数列設した、
ことを特徴とするコネクタ。
【発明の詳細な説明】
【０００１】
【発明の属する技術分野】
この発明は、プリント基板にコネクタを固定するためのコネクタ取付端子及びコネクタに関するものである。
【０００２】
【従来の技術】
従来、この種の技術として、例えば特開平８−２１３０７４号公報及び特開２００２−６３９５９号公報に開示されたコネクタがある。
図１０は、特開平８−２１３０７４号公報記載のコネクタを一部破断して示す側面図である。
図１０において、符号１００がコネクタであり、符号１１０が取付端子としてのボードロック機構である。
ボードロック機構１１０は、コネクタ１００の両端部に取り付けられている。ボードロック機構１１０は、互いに垂直な第１部分１１１と第２部分１１２とよりなり、第１部分１１１の下部には、レッグ１１３が設けられ、レッグ１１３がプリント回路板１２０の受入穴１２１にロック式に挿入される。また、第２部分１１２の下部には、水平なフット１１４が設けられ、このフット１１４がプリント回路板１２０の接地トレース１２２に接続される。
すなわち、この公報に開示されている技術は、ボードロック機構１１０のレッグ１１３とフット１１４との協働作用によって、コネクタ１００がプリント回路板１２０に対して、水平及び垂直に移動することを防止するものである。
【０００３】
図１１は、特開２００２−６３９５９号公報記載のコネクタ取付端子を示す斜視図であり、図１１の（ａ）は右取付端子を示し、図１１の（ｂ）は左取付端子を示す。
図１１の（ａ）及び（ｂ）に示すように、右取付端子１３０及び左取付端子１４０は共に、水平な取付アーム１３１，１４１を有し、これら取付アーム１３１，１４１を図示しないコネクタの両端部に形成された穴に挿入することで、右取付端子１３０，左取付端子１４０を当該コネクタに取り付けることができるようになっている。
また、右取付端子１３０，左取付端子１４０は、開孔穴１３３，１４３がそれぞれ穿設された平坦なベース部１３２，１４２を有しており、これらベース部１３２，１４２を図示しないプリント基板に当接して、半田付け等することにより、コネクタを当該プリント基板に表面実装することができるようになっている。
【０００４】
【発明が解決しようとする課題】
しかし、上記した従来の技術では、次のような問題がある。
特開平８−２１３０７４号公報記載の技術では、コネクタ１００に対する水平方向及び垂直方向への移動力に対しては強固であるが、ボードロック機構１１０のレッグ１１３をプリント回路板１２０に挿入し、フット１１４がプリント回路板１２０に当接する構造であるので、図１０の矢印Ｆに示すようなコネクタ１００への剥離力に対しては非常に弱い。
一方、図１１に示す特開２００２−６３９５９号公報記載の技術では、右取付端子１３０，左取付端子１４０のベース部１３２，１４２を半田付け等することにより、コネクタをプリント基板に表面実装する構成であるので、水平な移動力に抗する力が弱い。しかも、コネクタへの剥離力に抗する力は、図１０に示した技術よりも強いものの、充分な抵抗力を有するとはいえない。
【０００５】
この発明は上述した課題を解決するためになされたもので、コネクタの移動強度及び剥離強度の双方を向上させるコネクタ取付端子及びコネクタを提供することを目的とするものである。
【０００６】
【課題を解決するための手段】
上記課題を解決するために、請求項１の発明は、コネクタの側部に取り付けられるコネクタ取付端子であって、コネクタの側部より外方に略水平に延出し且つ表面側から裏面側に貫通する一以上の孔を有した表面実装タブ部と、表面実装タブ部の裏面側から突出し且つ当該コネクタが実装される基板に設けられた孔に差し込むための差込レグ部とを具備する構成とした。
かかる構成により、コネクタ取付端子をコネクタの両側部にそれぞれ取り付け、コネクタ取付端子の表面実装タブ部を基板表面に当接すると共に、差込レグ部を基板の孔に差し込むことができる。しかる後、表面実装タブ部の略全面にクリーム半田等を塗り付けることで、コネクタを基板表面に実装することができる。これにより、基板表面に水平な移動力がコネクタに対して働いた場合には、基板の孔に差し込まれた差込レグ部がその水平移動力に抗する。また、コネクタの例えば後縁部と基板との接点を支点としてコネクタを上方に回転させる剥離力がコネクタに働いた場合には、コネクタ取付端子の差込レグ部が基板の孔に係止して、コネクタの回転を阻止する。
【０００７】
特に、請求項２の発明は、請求項１に記載のコネクタ取付端子において、複数の差込レグ部を、コネクタの側部に沿うように列設した構成としてある。
【０００８】
ところで、コネクタ取付端子を備えたコネクタも発明として成立する。そこで、請求項３の発明は、複数の電気端子を収納したハウジングと、このハウジングの両側部に取り付けられた一対のコネクタ取付端子とを有し、これらのコネクタ取付端子を介してプリント基板に表面実装されるコネクタであって、コネクタ取付端子は、ハウジングの側部より外方に略水平に延出し且つ表面側から裏面側に貫通する一以上の孔を有した表面実装タブ部と、表面実装タブ部の裏面側から突出し且つ当該コネクタが実装される基板に設けられた孔に差し込むための差込レグ部とを具備するものである構成とした。
また、請求項４の発明は、請求項３に記載のコネクタにおいて、コネクタ取付端子の差込レグ部を、ハウジングの側部に沿うように複数列設した構成としてある。
【０００９】
【発明の実施の形態】
以下、この発明の実施形態について図面を参照して説明する。
図１は、この発明の一実施形態に係るコネクタ１の斜視図であり、図２は、図１の矢視Ａ−Ａ断面図である。
図１に示すように、コネクタ１は、複数の電気端子３を収納したハウジング２と、ハウジング２の両側部に取り付けられた一対のコネクタ取付端子４，４とによりなる。
【００１０】
ハウジング２は、図示しない雄コネクタを挿入するための開口２０を前面に有しており、複数の電気端子３は、ピン状の水平な接触部３０を開口２０側に向けた状態で、ハウジング２に組み付けられている。
具体的には、図２に示すように、接触部３０がハウジング２の後方から後壁２１を貫通した状態で、電気端子３が後壁２１外側に組み付けられている。そして、電気端子３のテール部３１がハウジング２の底壁２２の下面位置迄延出されている。
【００１１】
コネクタ取付端子４は、図１に示すように、コネクタ１の側部を構成するハウジング２の側壁２３に取り付けられている。
図３は、コネクタ取付端子４を上方から見た斜視図であり、図４はコネクタ取付端子４を下方から見た斜視図である。
コネクタ取付端子４は、例えば燐青銅のごとき金属板を略Ｕ字状に折り曲げて形成したもので、図３及び図４に示すように、表面実装タブ部４０と差込レグ部４１と連結部４２とを有している。
【００１２】
表面実装タブ部４０は、後述する図示しないプリント基板７に半田付される部分であり、連結部４２の下端から水平に折れ曲り、その中央部には、表面実装タブ部４０の表面４０ａ側から裏面４０ｂ側に貫通する２つの長孔４３，４３が列設されている。
【００１３】
差込レグ部４１は、後述するプリント基板７に設けられた孔７０ａに差し込む部分であり、表面実装タブ部４０の一方の長孔４３を形成する際に長孔４３内の一部の片を残し、当該一部の片を下方に折り曲げて形成したもので、表面実装タブ部４０の裏面４０ｂ側に突出している。
【００１４】
連結部４２は、コネクタ取付端子４をハウジング２の側壁２３（図１参照）に取り付けるための部分であり、矩形状の垂直な差込板部４４を有している。そして、この差込板部４４の後縁の中央部には、後方に水平に延出した差込ピン部４５が形成されている。この差込ピン部４５は、ハウジング２の側壁２３に取り付けられたコネクタ取付端子４をロックするための部分であり、抜止歯４５ａを先端部に有している。
【００１５】
上記の如きコネクタ取付端子４は、図５に示すように、連結部４２を側壁２３の溝２４内に差し込むことで、ハウジング２に取り付けることができる。
図６は、側壁２３を一部破断してコネクタ取付端子４の取付状態を示すコネクタ１の側面図である。
溝２４は、側壁２３の前側部（図６の左側部）に形成されている。この溝２４はコネクタ取付端子４の連結部４２と略同形に設定され、側壁２３の前方及び下方に開口している。そして、溝２４の奥には、貫通孔２５が穿設されている。
即ち、差込ピン部４５をこの貫通孔２５内に圧入して、抜止歯４５ａを貫通孔２５の段差２５ａに係止させ、差込板部４４を溝２４内に完全に差し込むことで、コネクタ取付端子４を側壁２３に取り付けることができるようになっている。これにより、表面実装タブ部４０がハウジング２の側壁２３から外方に水平に延出した状態になる。
【００１６】
次に、この実施形態のコネクタ１をプリント基板に実装する例について説明する。
図７は、コネクタ１の実装例を示す斜視図であり、図８はコネクタ１実装時におけるコネクタ取付端子４とプリント基板との接続状態を示す部分断面図である。
【００１７】
図７において、符号７がプリント基板であり、このプリント基板７の表面側には、一対の取付端子用ランド７０と、複数の電気端子用ランド７１とが配設され、プリント基板７の裏面側には、電気端子用ランド７１に連通した配線パターン（図示せず）が設けられている。
一対の取付端子用ランド７０の間隔は、コネクタ１の一対のコネクタ取付端子４，４の間隔に等しく設定され、各取付端子用ランド７０の形状は、コネクタ取付端子４の表面実装タブ部４０の形状と略同形に設定されている。また、これらの取付端子用ランド７０には、コネクタ取付端子４の差込レグ部４１を差し込むための孔７０ａが穿設されている。この孔７０ａの直径は、差込レグ部４１の幅ｔ（図３参照）に略等しく設定されている。
【００１８】
プリント基板７へのコネクタ１の実装は、コネクタ取付端子４をクリーム半田が塗布されている取付端子用ランド７０上に位置させ、差込レグ部４１を取付端子用ランド７０の孔７０ａに差し込んで、表面実装タブ部４０を取付端子用ランド７０に当接させることにより行う。これにより、電気端子３のテール部３１も電気端子用ランド７１に当接するので、かかる状態で、クリーム半田を加熱すると、表面実装タブ部４０が溶けた半田を介して取付端子用ランド７０に接着されると共に、テール部３１も半田を介して電気端子用ランド７１に接着され、コネクタ１がプリント基板７に実装される。
【００１９】
かかる実装状態において、図８に示すように、水平移動力Ｆ１がコネクタ１に加わると、半田８と取付端子用ランド７０との接触面に剪断力が働き、半田８が取付端子用ランド７０から剥がれるおそれがある。
しかし、この実施形態のコネクタ１では、上記したように、コネクタ取付端子４の差込レグ部４１が取付端子用ランド７０の孔７０ａ内に差し込まれている。しかも、半田８が取付端子用ランド７０内に溶け込んで、差込レグ部４１を孔７０ａ内で固定している。したがって、孔７０ａ内の差込レグ部４１がコネクタ１に対する水平移動力Ｆ１に抗するので、半田８が取付端子用ランド７０から剥がれて、コネクタ１が水平移動力Ｆ１方向に移動することはない。
また、上方に回転させる剥離力Ｆ２がコネクタ１に加わると、半田８の接着力が剥離力Ｆ２に抗しきれず、表面実装タブ部４０が取付端子用ランド７０から剥がれて、コネクタ１が後端部を支点にして上方に回転するおそれがある。
しかし、この場合においても、孔７０ａ内の差込レグ部４１が剥離力Ｆ２に抗するので、表面実装タブ部４０が取付端子用ランド７０から剥がれて、コネクタ１が上方に回転することはない。
【００２０】
このように、この実施形態のコネクタ１によれば、プリント基板７の孔７０ａ内に差し込まれたコネクタ取付端子４の差込レグ部４１の作用によって、コネクタ１の移動強度と剥離強度との双方を高めることができる。
【００２１】
なお、この発明は、上記実施形態に限定されるものではなく、発明の要旨の範囲内において種々の変形や変更が可能である。
例えば、上記実施形態では、表面実装タブ部４０の２つの長孔４３，４３の内、一方の長孔４３に差込レグ部４１を形成したが、図９に示すように、差込レグ部４１を他方の長孔４３にも形成して、２つの差込レグ部４１，４１を、ハウジング２の側壁２３に沿うように列設することもできる。
【００２２】
【発明の効果】
以上詳しく説明したように、この発明によれば、コネクタ取付端子の差込レグ部を基板の孔に差し込んだ状態で、表面実装タブ部の略全面にクリーム半田等を塗り付けることにより、コネクタを基板表面に実装することができるので、基板に対するコネクタの移動強度と剥離強度の双方を向上させることができるという優れた効果がある。
【図面の簡単な説明】
【図１】この発明の一実施形態に係るコネクタの斜視図である。
【図２】図１の矢視Ａ−Ａ断面図である。
【図３】コネクタ取付端子を上方から見た斜視図である。
【図４】コネクタ取付端子を下方から見た斜視図である。
【図５】コネクタ取付端子の取付状態を示す部分斜視図である。
【図６】側壁を一部破断してコネクタ取付端子の取付状態を示すコネクタの側面図である。
【図７】コネクタの実装例を示す斜視図である。
【図８】コネクタ実装時におけるコネクタ取付端子とプリント基板との接続状態を示す部分断面図である。
【図９】コネクタ取付端子の一変形例を示す斜視図である。
【図１０】従来例のコネクタを一部破断して示す側面図である。
【図１１】他の従来例に係るコネクタに適用されたコネクタ取付端子を示す斜視図であり、図１１の（ａ）は右取付端子を示し、図１１の（ｂ）は左取付端子を示す。
【符号の説明】
１…コネクタ、　２…ハウジング、　３…電気端子、　４…コネクタ取付端子、　７…プリント基板、　２３…側壁、　２４…溝、　２５…貫通孔、　４０…表面実装タブ部、　４０ａ…表面実装タブ部の表面、　４０ｂ…表面実装タブ部の裏面、　４１…差込レグ部、　４２…連結部、　４３…長孔、　４４…差込板部、　４５…差込ピン部、　４５ａ…抜止歯、　７０ａ…孔。
【図１】
2004047357.tif 000003
【図２】
2004047357.tif 000004
【図３】
2004047357.tif 000005
【図４】
2004047357.tif 000006
【図５】
2004047357.tif 000007
【図６】
2004047357.tif 000008
【図７】
2004047357.tif 000009
【図８】
2004047357.tif 000010
【図９】
2004047357.tif 000011
【図１０】
2004047357.tif 000012
【図１１】
2004047357.tif 000013